(57)【要約】【課題】携帯端末の現在位置に応じて好適に携帯端末の紛失、放置、盗難などを判別することで、紛失などの発生時のセキュリティを維持することができる携帯端末を提供する。【解決手段】入力操作を受け付ける入力受付手段と、携帯端末の現在の位置情報を取得する取得手段と、携帯端末が利用される場所の範囲に関する情報を設定する設定手段と、位置情報に基づき、携帯端末が利用される場所の範囲外に位置するか否かを判定する判定手段と、携帯端末が利用される場所の範囲外であると判定された場合、入力受付手段による入力操作の受付を制限する制限手段とを備えた。【選択図】  図５
2010252096.tif 000002
【特許請求の範囲】
【請求項１】
入力操作を受け付ける入力受付手段と、
携帯端末の現在の位置情報を取得する取得手段と、
前記携帯端末が利用される場所の範囲に関する情報を設定する設定手段と、
前記位置情報に基づき、前記携帯端末が前記利用される場所の範囲外に位置するか否かを判定する判定手段と、
前記携帯端末が前記利用される場所の範囲外であると判定された場合、前記入力受付手段による前記入力操作の受付を制限する制限手段とを備えたことを特徴とする携帯端末。
【請求項２】
前記判定手段により前記携帯端末が前記利用される場所の範囲外であると判定された場合、前記携帯端末が前記利用される場所の範囲外である旨を通知する通知手段と、
前記通知に対する応答の入力を受け付ける応答入力受付手段とをさらに備え、
前記制限手段は、前記応答入力受付手段により前記応答の入力を受け付けた場合には、前記入力受付手段による前記入力操作の受付の制限を行わない請求項１記載の携帯端末。
【請求項３】
音声を出力する音声出力手段と、
前記音声出力手段より出力される音声を消音させるモードであるマナーモードのオン・オフを設定するマナーモード設定手段と、
前記制限手段により前記入力操作の受付が制限された場合、前記マナーモードをオフに設定させるマナーモード制御手段とをさらに備えた請求項１または２記載の携帯端末。
【請求項４】
他の端末と通信を行う通信手段と、
音声を出力する音声出力手段と、
前記音声出力手段より出力される音声を消音させるモードであるマナーモードのオン・オフを設定するマナーモード設定手段と、
前記制限手段により前記入力操作の受付が制限された後に、前記通信手段が他の端末より特定の通信を受信した場合、前記マナーモードをオフに設定させるマナーモード制御手段とをさらに備えた請求項１または２記載の携帯端末。
【請求項５】
受信した通話着信に対してハンズフリー通話を実行する通話手段と、
前記制限手段により前記入力操作の受付が制限された後に前記通話手段が受信した前記通話着信が、所定の条件を満たすか否かを判定する着信判定手段と、
前記通話着信が前記所定の条件を満たすと判定された場合、前記ハンズフリー通話を開始させる通話制御手段とをさらに備えた請求項１〜４のいずれかに記載の携帯端末。
【発明の詳細な説明】
【技術分野】
【０００１】
本発明は携帯端末に係り、特に携帯端末の紛失時に好適に作用する携帯端末に関する。
【背景技術】
【０００２】
今日、携帯電話機などの携帯端末の多機能化、高機能化が著しい。このような背景から、携帯端末の紛失、放置、盗難などによる影響が大きなものとなっている。例えば、携帯端末に記憶された個人情報などの情報が第三者に悪用される恐れがある。また、電子マネー機能や、クレジット決済機能などの決済機能を備えた携帯端末であれば、ユーザの金銭的な損害につながる恐れがある。
【０００３】
従来、紛失、放置、および盗難による損害を未然に防止するため、セキュリティを維持しつつ、ユーザにとっては見つけ易く、他人にとっては拾い易い携帯型通信端末が提案されている（例えば、特許文献１参照）。
【先行技術文献】
【特許文献】
【０００４】
【特許文献１】特開２００７−３１８３６３号公報
【発明の概要】
【発明が解決しようとする課題】
【０００５】
特許文献１に記載された携帯型通信端末は、外部から取得した指示に基づいて、端末が有する機能を制限する遠隔ロックや、所定時間操作がなされなかった場合に機能を制限するタイマーロックを備えることで、第三者による悪用を防止するものであった。
【０００６】
しかし、端末で遠隔ロックを機能させるためには、ユーザが紛失、放置、盗難などが発生したことを気づいた後、他の端末から所定の指示を送信することが必要であった。このため、紛失、放置、盗難などの発生直後の端末に対する早急な対応が困難であった。
【０００７】
また、端末でタイマーロックを機能させるためには、所定時間操作がなされないことが条件となっている。このため、第三者が悪意に端末の操作を行った場合には、ロックが機能せず功を奏さないものであった。
【０００８】
本発明はこのような事情を考慮してなされたもので、携帯端末の現在位置に応じて好適に携帯端末の紛失、放置、盗難などを判別することで、紛失などの発生時のセキュリティを維持することができる携帯端末を提供することを目的とする。
【課題を解決するための手段】
【０００９】
本発明に係る携帯端末は、入力操作を受け付ける入力受付手段と、携帯端末の現在の位置情報を取得する取得手段と、前記携帯端末が利用される場所の範囲に関する情報を設定する設定手段と、前記位置情報に基づき、前記携帯端末が前記利用される場所の範囲外に位置するか否かを判定する判定手段と、前記携帯端末が前記利用される場所の範囲外であると判定された場合、前記入力受付手段による前記入力操作の受付を制限する制限手段とを備えたことを特徴とする。
【発明の効果】
【００１０】
本発明に係る携帯端末は、携帯端末の現在位置に応じて好適に携帯端末の紛失、放置、盗難などを判別することで、紛失などの発生時のセキュリティを維持することができる。
【図面の簡単な説明】
【００１１】
【図１】本発明に係る携帯端末の一例である折り畳み式の携帯電話機の外観の構成を示す図。
【図２】本発明に係る携帯端末装置の一例である折り畳み式の携帯電話機の他の外観の構成を示す図。
【図３】本実施形態における携帯電話機の主な機能構成を示す概略的な機能ブロック図。
【図４】携帯電話機の利用範囲条件を設定する際の処理の流れを説明するメインディスプレイの画面遷移図。
【図５】本実施形態における携帯電話機の主制御部により実行される操作ロック処理を説明するフローチャート。
【図６】本実施形態における携帯電話機の主制御部により実行される着信動作処理を説明するフローチャート。
【図７】本実施形態における携帯電話機の主制御部により実行されるマナーモード制御処理を説明するフローチャート。
【発明を実施するための形態】
【００１２】
本発明に係る携帯端末の実施形態を添付図面に基づいて説明する。
【００１３】
図１は、本発明に係る携帯端末の一例である折り畳み式の携帯電話機１の外観の構成を示す図である。図１（Ａ）は、携帯電話機１を約１８０度に開いた開状態のときの正面から見た外観の構成を示す。図１（Ｂ）は、携帯電話機１を開状態としたときの側面から見た外観の構成を示す。
【００１４】
図１（Ａ）および（Ｂ）に示されるように、携帯電話機１は、中央のヒンジ部１１を境に第一の筐体１２と第二の筐体１３とがヒンジ結合されている。第一の筐体１２と第二の筐体１３とは、ヒンジ部１１を介して矢印Ｘ方向に折り畳み可能に形成される。携帯電話機１の内部の所定の位置には、送受信用のアンテナ（後述する図３のアンテナ４６、４９）が設けられる。携帯電話機１は、この内蔵されたアンテナを介して基地局やＧＰＳ衛星（共に図示せず）との間で電波を送受信する。
【００１５】
第一の筐体１２には、その表面に操作キー１４が設けられる。操作キー１４は、特に、数字キー１５、十字キー１６、確定キー１７、ソフトキー１８、１９が設けられる。
【００１６】
数字キー１５は、「０」から「９」の数字や「あ」行から「わ」行のかな文字、「Ａ」から「Ｚ」のアルファベットの入力が可能なキーである。十字キー１６は、上下左右方向に操作されることにより、メインディスプレイ２１に表示されたカーソルなどを上下左右方向に移動させる入力操作を行うことができる。また、確定キー１７は、押下されることにより、種々の処理の確定処理などが実行される。確定キー１７には、メインディスプレイ２１の下部に設けられた確定キー機能表示部２１ａに表示される処理も割り当てられる。
【００１７】
さらに、第一の筐体１２の十字キー１６および確定キー１７の上部には、左ソフトキー１８および右ソフトキー１９が設けられる。左ソフトキー１８および右ソフトキー１９は、メインディスプレイ２１の下部に設けられた左ソフトキー機能表示部２１ｂおよび右ソフトキー機能表示部２１ｃに表示される処理の実行指示を受け付ける。
【００１８】
第一の筐体１２の側面には、サイドキー２２、２２が設けられる。サイドキー２２、２２は、携帯電話機１が開状態および閉状態のときに第一の筐体１２の内部方向に押下されることによって、それぞれ所定の処理の実行指示を受け付ける。
【００１９】
第一の筐体１２には、操作キー１４の下部にマイクロフォン２４が設けられている。携帯電話機１は、マイクロフォン２４によって通話時のユーザの音声を集音する。
【００２０】
なお、第一の筐体１２は、背面側にはバッテリパック（図示せず）が挿着される。携帯電話機１は、操作キー１４のうち電源のオン・オフの実行指示を受け付ける電源キー２５が押下されてオン状態になると、バッテリパックから各回路部に対して電力が供給され、動作可能な状態に起動する。
【００２１】
一方、第二の筐体１３には、その大部分の面積を占めるメインディスプレイ２１が設けられる。メインディスプレイ２１は、電波の受信状態および電池残量を示すピクトアイコンや現在日時の他、適宜電子メールの内容、簡易ホームページなどを表示することができる。なお、メインディスプレイ２１は、例えばＬＣＤ（ＬｉｑｕｉｄＣｒｙｓｔａｌＤｉｓｐｌａｙ）、有機ＥＬ（ＥｌｅｃｔｒｏＬｕｍｉｎｅｓｃｅｎｃｅ）ディスプレイ、無機ＥＬディスプレイにより構成されるディスプレイである。
【００２２】
第二の筐体１３のメインディスプレイ２１の上部の所定の位置にはレシーバ（受話器）２６が設けられる。レシーバ２６およびマイクロフォン２４を利用することにより、ユーザは音声通話することが可能である。
【００２３】
図２は、本発明に係る携帯端末装置の一例である折り畳み式の携帯電話機１の他の外観の構成を示す図である。図２の携帯電話機１は、図１の携帯電話機１の状態から矢印Ｘ方向に回動させた閉状態を構成する。図２（Ａ）は、携帯電話機１が閉状態のときの正面から見た外観の構成を示す。図２（Ｂ）は、携帯電話機１が閉状態のときの側面から見た外観の構成を示す。
【００２４】
第二の筐体１３には、サブディスプレイ２８が設けられる。サブディスプレイ２８は、電波の受信状態および電池残量を示すピクトアイコンや現在日時などを表示することができる。なお、サブディスプレイ２８は、メインディスプレイ２１と同様に、例えばＬＣＤで構成されるディスプレイである。
【００２５】
サブディスプレイ２８の図示下部には、スピーカ２９が設けられる。スピーカ２９は、音声通話着信時や電子メールの受信時などにおいては着信音を出力する。また、スピーカ２９は、音声通話時においては通話相手の音声を出力することで、ハンズフリー通話を実現することができる。
【００２６】
図３は、本実施形態における携帯電話機１の主な機能構成を示す概略的な機能ブロック図である。携帯電話機１は、主制御部４０、電源回路部４１、入力制御部４２、表示制御部４３、音声制御部４４、通信制御部４５、記憶部４７、ＧＰＳ受信部４８がバスによって相互に通信可能に接続されて構成されている。
【００２７】
主制御部４０は、ＣＰＵ（ＣｅｎｔｒａｌＰｒｏｃｅｓｓｉｎｇＵｎｉｔ）を具備する。主制御部４０は、記憶部４７に記憶された各種プログラムに基づき動作して、携帯電話機１の総括的な制御を行う。
【００２８】
電源回路部４１は、操作キー１４の電源キー２５に対する入力インタフェースを備える。電源回路部４１は、ユーザにより電源キー２５が押下されたことを検知すると、その旨を示す信号を生成して主制御部４０に伝送する。また、電源回路部４１は、電力供給源（バッテリパック）を備える。電源回路部４１は、電源キー２５を介した入力に基づいて携帯電話機１の電源のオン・オフ状態を切り替え、電源がＯＮ状態の場合に電力供給源から各部に対して電力を供給して、携帯電話機１を動作可能にする。
【００２９】
入力制御部４２は操作キー１４、サイドキー２２に対する入力インタフェースを備える。入力制御部４２は、操作キー１４、サイドキー２２のいずれかが押下されたことを検知すると、押下されたキーを示す信号を生成して主制御部４０に伝送する。
【００３０】
表示制御部４３はメインディスプレイ２１およびサブディスプレイ２８に対する表示インタフェースを備える。表示制御部４３は、主制御部４０の制御に基づいて、文書データや画像信号に基づいた撮影画像をメインディスプレイ２１あるいはサブディスプレイ２８に表示する。
【００３１】
音声制御部４４は、主制御部４０の制御に基づいて、マイクロフォン２４で集音された音声からアナログ音声信号を生成し、このアナログ音声信号をデジタル音声信号に変換する。また音声制御部４４は、デジタル音声信号を取得すると、主制御部４０の制御に基づいて、このデジタル音声信号をアナログ音声信号に変換し、レシーバ２６またはスピーカ２９から音声として出力する。
【００３２】
なお、携帯電話機１は、音声出力手段としてのスピーカ２９より出力される音声を消音させるモードであるマナーモードのオン・オフを設定することができるようになっている。
【００３３】
通信制御部４５は、主制御部４０の制御に基づいて、基地局からアンテナ４６を介して受信した受信信号をスペクトラム逆拡散処理してデータを復元する。このデータは、主制御部４０の指示により、音声制御部４４に伝送されてレシーバ２６やスピーカ２９から出力されたり、表示制御部４３に伝送されてメインディスプレイ２１に表示されたり、または記憶部４７に記録されたりする。
【００３４】
また通信制御部４５は、主制御部４０の制御に基づいて、マイクロフォン２４で集音された音声データや操作キー１４を介して入力されたデータや記憶部４７に記憶されたデータを取得すると、これらのデータに対してスペクトラム拡散処理を行い、基地局に対してアンテナ４６を介して送信する。
【００３５】
記憶部４７は、主制御部４０が行う処理の処理プログラムや処理に必要なデータなどを格納するＲＯＭ（ＲｅａｄＯｎｌｙＭｅｍｏｒｙ）やハードディスク、不揮発性メモリ、データベース、主制御部４０が処理を行う際に使用されるデータを一時的に記憶するＲＡＭ（ＲａｎｄｏｍＡｃｃｅｓｓＭｅｍｏｒｙ）などから構成される。
【００３６】
ＧＰＳ受信部４８は、ＧＰＳ衛星（図示せず）により送信されている電波を受信するアンテナ４９を備える。ＧＰＳ受信部４８は、受信したＧＰＳ信号（送信元を示すＧＰＳ衛星の識別情報や送信時刻情報など）を主制御部４０に伝送する。主制御部４０は、このＧＰＳ信号に基づいて、携帯電話機１の緯度や経度（ＧＰＳ衛星が４つ以上の場合は、高度も）を測定する。
【００３７】
本実施形態における携帯電話機１は、紛失、放置、盗難などの発生を携帯電話機１の位置情報を参照して好適に判別することができる。また、携帯電話機１は、紛失などが発生したと判別した場合には自動的に携帯電話機１の操作をロックすることができるようになっている。また、紛失などの発生時においては、ユーザが携帯電話機１を見つけやすいように構成されている。
【００３８】
以下、本実施形態における携帯電話機１で実行される紛失などの発生時における各種処理について具体的に説明する。なお、以下、携帯電話機１において紛失などの発生時に実行される処理を「紛失時処理」と呼ぶ。
【００３９】
まず、携帯電話機１が利用範囲条件を設定するための、設定手段としての処理について説明する。携帯電話機１は、この利用範囲条件を参照し、携帯電話機１の現在位置が利用範囲条件に反した場合に紛失時処理を実行する。利用範囲条件は、ユーザの生活パターンに応じて、ユーザにより任意に設定されるものであり、必要に応じて適宜参照および編集することができるようになっている。
【００４０】
図４は、携帯電話機１の利用範囲条件を設定する際の処理の流れを説明するメインディスプレイ２１の画面遷移図である。
【００４１】
ステップＳ１において、携帯電話機１は、利用範囲条件を参照したり、利用範囲条件の設定を受け付けたりするための利用範囲指定画面をメインディスプレイ２１に表示させる。この利用範囲指定画面では、複数の利用範囲条件（図４では５つ）を設定できるようになっている。利用範囲条件には、紛失時処理のオン（ＯＮ）・オフ（ＯＦＦ）状態、紛失時処理が実行される時間帯およびその時間帯における携帯電話機１が利用される場所の範囲が含まれる。
【００４２】
図４では、携帯電話機１は、利用範囲条件の設定（編集）の開始指示を、確定キー１７の押下により受け付けるようになっている。また、携帯電話機１は、紛失時処理のオン・オフ状態の設定指示を、右ソフトキー１９の押下により受け付けるようになっている。さらに、携帯電話機１は、利用範囲条件の詳細の表示指示を、左ソフトキー１８の押下により受け付けるようになっている。
【００４３】
携帯電話機１は、ステップＳ１において一の利用範囲条件（図４では利用条件４）の設定指示を受け付けると、ステップＳ２において、利用範囲条件のうち、紛失時処理が実行される時間帯（「１．時間」）を設定するか、利用場所範囲（「２．エリア」）を設定するかの選択を受け付ける。
【００４４】
携帯電話機１は、ステップＳ２において紛失時処理が実行される時間帯を設定する指示を受け付けると、ステップＳ３において、ユーザに時間帯を選択させる画面をメインディスプレイ２１に表示させる。携帯電話機１は、選択させる時間帯として、例えば「平日」、「休日」、「曜日指定」、「日にち指定」を設ける。また、携帯電話機１は、ユーザにより「曜日指定」、「日にち指定」が選択された場合には、さらに曜日および日にちを指定する画面（図示せず）を表示させ、ユーザからの指定を受け付ける。このとき、時間帯を特に設定せず、常時紛失時処理を実行するように指定することもできる。
【００４５】
携帯電話機１は、ステップＳ２において携帯電話機１が利用される場所の範囲を設定する指示を受け付けると、ステップＳ４において、ユーザに利用場所の範囲を選択させる画面をメインディスプレイ２１に表示させる。携帯電話機１は、選択させる利用場所の範囲として、例えば「北海道」、「東北」、「関東／甲信越」などの地域を設ける。また、携帯電話機１は一の地域が選択された場合、さらに県、区、市などの狭い範囲を選択可能に設けられている。以上で利用範囲条件の設定の流れについての説明を終了する。
【００４６】
次に、利用範囲条件が設定された後に実行される操作ロック処理について説明する。
【００４７】
図５は、本実施形態における携帯電話機１の主制御部４０により実行される操作ロック処理を説明するフローチャートである。
【００４８】
なお、この操作ロック処理は、利用範囲条件を参照し、現在の時間帯が利用範囲条件で設定された時間帯に含まれる場合に、その利用範囲条件を参照して実行される。例えば、現在の時間帯が「休日」に該当する場合、利用範囲条件のうち「休日」に設定された利用範囲条件に従い操作ロック処理が実行される。なお、現在の時間帯が含まれる複数の利用範囲条件が存在する場合には、その複数の利用範囲条件の理論和（ＯＲ）に従って操作ロック処理が実行されるものとする。
【００４９】
ステップＳ１１において、主制御部４０は、携帯電話機１の現在の位置情報を取得する取得手段としてのＧＰＳ受信部４８より携帯電話機１の現在の位置情報を取得する。
【００５０】
ステップＳ１２において、主制御部４０は、携帯電話機１の現在位置が利用範囲条件で設定された利用場所の範囲外であるか否かの判定を判定手段として行う。主制御部４０は、携帯電話機１の現在位置が利用範囲条件で設定された利用場所の範囲内であると判定した場合（ステップＳ１２のＮＯ）、位置情報取得ステップＳ１１に戻り以降の処理を繰り返す。
【００５１】
一方、主制御部４０は、携帯電話機１の現在位置が利用範囲条件で設定された利用場所の範囲外であると判定した場合（ステップＳ１２のＹＥＳ）、ステップＳ１３において、携帯電話機１が利用場所の範囲外である旨の通知を通知手段として行う。この通知は、例えば利用場所の範囲外である旨が記載されたポップアップをメインディスプレイ２１に表示したり、これにあわせて振動を発生させたり、発光させたり、音を鳴らしたりすることでユーザに対して行われる。
【００５２】
このとき、主制御部４０は、通知に対応する応答の入力を受け付ける応答入力受付手段を設ける。応答入力受付手段としては、例えばメインディスプレイ２１に所定の操作キー１４の押下を促す表示を行うことで実現する。または、ユーザに予め設定されたパスワードを入力させる表示を行うようにしてもよい。
【００５３】
ステップＳ１４において、主制御部４０は、通知に対する応答を受け付けたか否かの判定を行う。主制御部４０は、応答を受け付けたと判定した場合（ステップＳ１４のＹＥＳ）、予め設定された利用場所の範囲外に携帯電話機１が移動したのは、ユーザの意図的な移動に基づくものであると認識する。これに伴い、主制御部４０は操作ロック処理を終了する。
【００５４】
一方、主制御部４０は応答を受け付けていないと判定した場合（ステップＳ１４のＮＯ）、ステップＳ１５において、操作ロックを実行する。主制御部４０は、携帯電話機１の操作キー１４およびサイドキー２２を介した入力を受け付けない状態にする操作ロックを制限手段として実行する。携帯電話機１は、例えば所定時間、通知に対する応答を受け付けなかった場合や、誤ったパスワードの入力を受け付けた場合に、「通知に対する応答を受け付けない」と判定することができる。なお、操作ロックの実行時、操作キー１４などの入力禁止状態に加え、メインディスプレイ２１やサブディスプレイ２８を非表示状態にしてもよい。
【００５５】
ステップＳ１６において、主制御部４０は、携帯電話機１に設定されているマナーモードをオフに設定する処理をマナーモード設定手段として行う。このマナーモードオフステップＳ１６は、操作ロック処理が実行される際にマナーモードがオンに設定されていた場合に実行され、オフに設定されていた場合にはオフの状態を維持する。マナーモードをオフにすることで、着信音などの音声が音声出力手段としてのスピーカ２９より出力されるようにするためである。
【００５６】
携帯電話機１は、予め設定されたユーザの利用場所の範囲に基づいて操作ロックの要否を判別するようになっている。この操作ロック処理は、例えばユーザが電車やバスなどの乗り物に携帯電話機１を放置した場合や、携帯電話機１が盗難されたことにより、設定した利用場所の範囲外まで運ばれてしまった場合に効果的に作用させることができる。
【００５７】
すなわち、携帯電話機１は、この操作ロック処理を実行することで、紛失などが発生したことを自動的に判別し、ユーザ操作を必要とすることなく操作ロックを行うことでセキュリティを維持することができる。
【００５８】
また、携帯電話機１は、操作ロックが設定された場合には、マナーモードをオフに設定するようになっている。このため、紛失などの発生時においては、携帯電話機１はスピーカ２９より着信音を出力させることができるため、携帯電話機１の周囲に位置する第三者に携帯電話機１の存在を知らせることができる。
【００５９】
なお、操作ロック処理においては、マナーモードオフステップＳ１６を省略することも可能である。
【００６０】
以上で、図５の操作ロック処理の説明を終了する。
【００６１】
次に、携帯電話機１に操作ロック処理が実行された後に開始される、着信動作処理について説明する。この着信動作処理は、図５の操作ロック処理において、携帯電話機１で操作ロックが設定された後に実行される処理である。
【００６２】
図６は、本実施形態における携帯電話機１の主制御部４０により実行される着信動作処理を説明するフローチャートである。
【００６３】
ステップＳ２１において、主制御部４０は、通話の着信を受信したか否かの判定を行う。なお、携帯電話機１がテレビ電話機能を備えている場合には、テレビ電話着信を受信したか否かの判定も行われる。主制御部４０は、通話着信を受信していないと判定した場合（ステップＳ２１のＮＯ）、通話着信を受信するまで待機する。
【００６４】
一方、主制御部４０は、通話着信を受信したと判定した場合（ステップＳ２１のＹＥＳ）、ステップＳ２２において、通話着信が所定の条件を満たすか否かの判定を着信判定手段として行う。ここで用いられる所定の条件は、通話着信の呼び出し時間が所定時間継続されたか、予め携帯電話機１に登録された電話番号を発信元とする通話着信か、特番（特殊番号）が付与された通話着信か、などの条件から一以上の条件を適用することができる。主制御部４０は、通話着信が所定の条件を満たさないと判定した場合（ステップＳ２２のＮＯ）、特に処理を行わず着信動作処理を終了する。
【００６５】
一方、主制御部４０は、通話着信が所定の条件をみたすと判定した場合（ステップＳ２２のＹＥＳ）、ステップＳ２３において、ハンズフリー通話を開始させる処理を通話制御手段として行う。ハンズフリー通話は、通話相手の音声をスピーカ２９より出力することで実現される。
【００６６】
携帯電話機１は、所定の条件を満たす通話着信が発生した場合に、自動的にハンズフリー通話を開始することで、紛失などの発生時においては周囲の第三者に携帯電話機１の存在を知らしめることができる。また、携帯電話機１を紛失したユーザは、スピーカ２９を介して携帯電話機１の周囲の第三者に呼びかけることができるため、携帯電話機１を拾得してもらえる可能性を向上させることができる。
【００６７】
以上で、図６の着信動作処理の説明を終了する。
【００６８】
次に、図５の操作ロック処理において、携帯電話機１で操作ロックが設定された後に実行される他の処理であるマナーモード制御処理について説明する。このマナーモード制御処理は、図５の操作ロック処理においてマナーモードオフステップＳ１６が省略された場合、すなわち携帯電話機１でマナーモードが強制的にオフに設定される処理が実行されない構成となっている場合に実行される処理である。
【００６９】
図７は、本実施形態における携帯電話機１の主制御部４０により実行されるマナーモード制御処理を説明するフローチャートである。
【００７０】
ステップＳ３１において、主制御部４０は、通話の着信を受信したか否かの判定を行う。主制御部４０は、通話着信を受信していないと判定した場合（ステップＳ３１のＮＯ）、通話着信を受信するまで待機する。
【００７１】
一方、主制御部４０は、通話着信を受信したと判定した場合（ステップＳ３１のＹＥＳ）、ステップＳ３２において、通話着信が所定の特番（特殊番号）が付与された着信であるか否かの判定を行う。「特番」は、例えば携帯電話機１の電話番号の先頭に付与される番号であり、予め決められた番号である。主制御部４０は、特番付の着信ではないと判定した場合（ステップＳ３２のＮＯ）、特に処理を行わずマナーモード制御処理を終了する。
【００７２】
一方、主制御部４０は、特番付の着信であると判定した場合（ステップＳ３２のＹＥＳ）、ステップＳ３３において、マナーモードをオフに設定する処理をマナーモード制御手段として行う。
【００７３】
この携帯電話機１は、例えば携帯電話機１を紛失したユーザが所定の特番付の番号で発信を行うことにより、遠隔操作でマナーモードをオフに設定させることができる。携帯電話機１は、音声通話の着信音などの音声をスピーカ２９より出力させることができるため、周囲の人に対して携帯電話機１の存在を気づきやすくさせることができる。
【００７４】
なお、図７のマナーモード制御処理においては、特番付の着信があった場合にマナーモードをオフに設定する場合を説明したが、これに限らず、携帯電話機１が特定の通信を受信した場合にマナーモードをオフに設定するようにしてもよい。「特定の通信」は、例えば、呼び出し時間が所定時間継続された通信着信、予め携帯電話機１に登録された電話番号を発信元とする通話着信、特定の差出人から送信された電子メールの受信、などの各種通信を特定の通信としてみなしてもよい。
【００７５】
この携帯電話機１によれば、ユーザの利用場所の範囲に応じて好適に携帯端末の紛失、放置、盗難などを判別することで、紛失などの発生時のセキュリティを維持することができる。すなわち、ユーザにより予め設定された携帯電話機１が利用される場所の範囲に応じて、特に操作を要することなく自動的に操作ロックを設定することができるため、第三者による悪用を好適に防止することができる。
【００７６】
また、携帯電話機１は、紛失などに伴う操作ロックの設定後についても、所定の条件下でハンズフリー通話やマナーモードのオフ設定を行うことで、携帯電話機１の存在を周囲の人に気づきやすくさせることができる点でも有効である。
【００７７】
なお、本発明に係る携帯電話機１は、ＰＤＡ（ＰｅｒｓｏｎａｌＤｉｇｉｔａｌＡｓｓｉｓｔａｎｔ）、パーソナルコンピュータ、携帯型ゲーム機、携帯型音楽再生機、携帯型動画再生機などの携帯端末にも適用することができる。
【００７８】
また、本発明の実施形態において説明した一連の処理は、ソフトウェアにより実行させることもできるが、ハードウェアにより実行させることもできる。
【００７９】
さらに、本発明の実施形態では、フローチャートのステップは、記載された順序に沿って時系列的に行われる処理例を示したが、必ずしも時系列的に処理されなくとも、並列的あるいは個別実行される処理をも含むものである。
【符号の説明】
【００８０】
１  携帯電話機
１１  ヒンジ部
１２  第一の筐体
１３  第二の筐体
１４  操作キー
２１  メインディスプレイ
２４  マイクロフォン
２６  レシーバ
２８  サブディスプレイ
２９  スピーカ
４０  主制御部
４１  電源回路部
４２  入力制御部
４３  表示制御部
４４  音声制御部
４５  通信制御部
４７  記憶部
４８  ＧＰＳ受信部
【図１】
2010252096.tif 000003
【図２】
2010252096.tif 000004
【図３】
2010252096.tif 000005
【図４】
2010252096.tif 000006
【図５】
2010252096.tif 000007
【図６】
2010252096.tif 000008
【図７】
2010252096.tif 000009